【手続補正書】
【提出日】令和1年5月9日(2019.5.9)
【手続補正１】
【補正対象書類名】特許請求の範囲
【補正対象項目名】全文
【補正方法】変更
【補正の内容】
【特許請求の範囲】
【請求項１】
発見ウィンドウ中に、第１のデバイスによって、第１のサービス発見フレーム（ＳＤＦ）または他のアクションフレームを第２のデバイスに送信することと、前記第１のＳＤＦまたは他のアクションフレームが、前記第１のデバイスと前記第２のデバイスとの間の距離を決定するための測距プロトコルを実行するための測距情報を含む属性を備え、前記属性が、最後の移動指示フィールドを備える、
前記第１のデバイスによって、前記測距情報に従って前記測距プロトコルを実行することと
を備える、ネイバーアウェアネットワーク（ＮＡＮ）におけるワイヤレス通信の方法。
【請求項２】
前記第１のＳＤＦまたは他のアクションフレームが、前記測距プロトコルを実行するための前記発見ウィンドウ外の時間期間の指示をさらに備え、ここにおいて、前記測距プロトコルを実行することが、前記第１のＳＤＦまたは他のアクションフレーム中で指示される前記時間期間中に前記測距プロトコルを実行することを備える、請求項１に記載の方法。
【請求項３】
前記属性が、前記測距プロトコルを実行する前記第１のデバイスの媒体アクセス制御（ＭＡＣ）アドレスを識別するためのＭＡＣアドレスフィールドと、チャネルのおよびマップ制御情報の利用可能性を示すためのマップ制御フィールドと、測距パラメータを示すための測距制御フィールドと、ファイン時間測定（ＦＴＭ）パラメータを示すためのＦＴＭパラメータフィールドと、前記時間期間を示すための利用可能性間隔ビットマップフィールドとを備える、請求項２に記載の方法。
【請求項４】
前記属性が、サービスマップフィールドをさらに備える、請求項３に記載の方法。
【請求項５】
前記サービスマップフィールドは、測距が前記第１のＳＤＦまたは他のアクションフレーム中のサービス属性のために必要とされるかどうかを示す、請求項４に記載の方法。
【請求項６】
測距が必要とされるかどうかを示すことは、前記サービスマップフィールド中のビットのビット位置が、測距が必要とされる前記サービス属性の位置を示すように、前記ビットを設定することを備える、請求項５に記載の方法。
【請求項７】
発見ウィンドウ中に、第２のデバイスにおいて、第１のサービス発見フレーム（ＳＤＦ）または第１の他のアクションフレームを第１のデバイスから受信することと、前記第１のＳＤＦまたは前記第１の他のアクションフレームが測距情報を備える、
前記発見ウィンドウ中に、前記第２のデバイスによって、前記第１のＳＤＦまたは前記第１の他のアクションフレームに応答して第２のＳＤＦまたは第２の他のアクションフレームを前記第１のデバイスに送信することと、前記第２のＳＤＦまたは前記第２の他のアクションフレームが、測距情報と、前記測距情報に従って測距プロトコルを実行するための前記発見ウィンドウ外の時間期間の指示とを含む属性を備え、前記属性が、最後の移動指示フィールドを備える、
前記第２のデバイスによって、前記第２のＳＤＦまたは前記第２の他のアクションフレーム中で指示される前記時間期間中に前記測距プロトコルを実行することと
を備える、ネイバーアウェアネットワーク（ＮＡＮ）におけるワイヤレス通信の方法。
【請求項８】
前記測距プロトコルがファイン時間測定（ＦＴＭ）プロトコルを備える、請求項７に記載の方法。
【請求項９】
前記属性が、前記測距プロトコルを実行する前記第２のデバイスの媒体アクセス制御（ＭＡＣ）アドレスを識別するためのＭＡＣアドレスフィールドと、チャネルのおよびマップ制御情報の利用可能性を示すためのマップ制御フィールドと、測距パラメータを示すための測距制御フィールドと、ファイン時間測定（ＦＴＭ）パラメータを示すためのＦＴＭパラメータフィールドと、前記時間期間を示すための利用可能性間隔ビットマップフィールドとを備える、請求項７に記載の方法。
【請求項１０】
前記測距制御フィールドが、利用可能性マップフィールドと、開始側フィールドと、確認／失敗フィールドと、予備フィールドとを備える、請求項９に記載の方法。
【請求項１１】
前記利用可能性マップフィールドは、前記利用可能性間隔ビットマップフィールドが存在するかどうかを示す、請求項１０に記載の方法。
【請求項１２】
前記開始側フィールドは、前記第１のデバイスが開始側であるのか応答側であるのかを示す、請求項１０に記載の方法。
【請求項１３】
発見ウィンドウ中に、第１のデバイスによって、第１のサービス発見フレーム（ＳＤＦ）または他のアクションフレームを第２のデバイスに送信するための手段と、前記第１のＳＤＦまたは他のアクションフレームが、前記第１のデバイスと前記第２のデバイスとの間の距離を決定するための測距プロトコルを実行するための測距情報を含む属性を備え、前記属性が、最後の移動指示フィールドを備える、
前記第１のデバイスによって、前記測距情報に従って前記測距プロトコルを実行するための手段と
を備える、ワイヤレス通信のための装置。
【請求項１４】
発見ウィンドウ中に、第２のデバイスにおいて、第１のサービス発見フレーム（ＳＤＦ）または他のアクションフレームを第１のデバイスから受信するための手段と、前記第１のＳＤＦまたは他のアクションフレームが測距情報を備える、
発見ウィンドウ中に、前記第２のデバイスによって、第２のサービス発見フレーム（ＳＤＦ）または他のアクションフレームを前記第１のデバイスに送信するための手段と、前記第２のＳＤＦまたは他のアクションフレームが、測距情報を含む属性と、前記測距情報に従って測距プロトコルを実行するための前記発見ウィンドウ外の時間期間の指示とを備え、前記属性が、最後の移動指示フィールドを備える、
前記第２のデバイスによって、前記第２のＳＤＦまたは他のアクションフレーム中で指示される前記時間期間中に前記測距プロトコルを実行するための手段と
を備える、ワイヤレス通信のための装置。
【請求項１５】
１つまたは複数のプロセッサによって実行されると、請求項１ないし１２のいずれか一項に記載の方法を実行するための命令を備えるコンピュータプログラム。
【手続補正２】
【補正対象書類名】明細書
【補正対象項目名】００７６
【補正方法】変更
【補正の内容】
【００７６】
[0091]同様に、動作は特定の順序で図面に示されているが、これは、望ましい結果を達成するために、そのような動作が、示される特定の順序でまたは順番に実行されることを、あるいはすべての図示の動作が実行されることを必要とするものとして理解されるべきでない。いくつかの状況では、マルチタスキングおよび並列処理が有利であり得る。その上、上記で説明された実装形態における様々なシステム構成要素の分離は、すべての実装形態においてそのような分離を必要とするものとして理解されるべきでなく、説明されたプログラム構成要素およびシステムは、概して、単一のソフトウェア製品において互いに一体化されるか、または複数のソフトウェア製品にパッケージングされ得ることを理解されたい。さらに、他の実装形態が以下の特許請求の範囲内に入る。いくつかの場合には、特許請求の範囲に記載の行為は、異なる順序で実行され、依然として望ましい結果を達成することができる。
以下に本願の出願当初の特許請求の範囲に記載された発明を付記する。
[Ｃ１］  発見ウィンドウ中に、第１のデバイスによって、第１のサービス発見フレーム（ＳＤＦ）または他のアクションフレームを第２のデバイスに送信することと、前記第１のＳＤＦまたは他のアクションフレームが、測距プロトコルを実行するための測距情報を備える、
前記第１のデバイスによって、前記測距情報に従って前記測距プロトコルを実行することとを備える、ネイバーアウェアネットワーク（ＮＡＮ）におけるワイヤレス通信の方法。
［Ｃ２］  前記第１のＳＤＦまたは他のアクションフレームが、前記測距情報と、前記測距プロトコルを実行するための前記発見ウィンドウ外の時間期間の指示とを含む属性を備え、ここにおいて、前記測距プロトコルを実行することが、前記第１のＳＤＦまたは他のアクションフレーム中で指示される前記時間期間中に前記測距プロトコルを実行することを備える、Ｃ１に記載の方法。
［Ｃ３］  前記属性が、前記測距プロトコルを実行するデバイスの媒体アクセス制御（ＭＡＣ）アドレスを識別するためのＭＡＣアドレスフィールドと、チャネルのおよびマップ制御情報の利用可能性を示すためのマップ制御フィールドと、測距パラメータを示すための測距制御フィールドと、ファイン時間測定（ＦＴＭ）パラメータを示すためのＦＴＭパラメータフィールドと、前記時間期間を示すための利用可能性間隔ビットマップフィールドとを備える、Ｃ２に記載の方法。
［Ｃ４］  前記属性が、サービスマップフィールドと最後の移動指示フィールドとをさらに備える、Ｃ３に記載の方法。
［Ｃ５］  前記サービスマップフィールドは、測距が前記第１のＳＤＦまたは他のアクションフレーム中のサービス属性のために必要とされるかどうかを示す、Ｃ４に記載の方法。
［Ｃ６］  測距が必要とされるかどうかを示すことは、前記サービスマップフィールド中のビットのビット位置が、測距が必要とされる前記サービス属性の位置を示すように、前記ビットを設定することを備える、Ｃ５に記載の方法。
［Ｃ７］  前記測距制御フィールドが、利用可能性マップフィールドと、開始側／応答側フィールドと、確認／失敗フィールドと、予備フィールドとを備える、Ｃ３に記載の方法。
［Ｃ８］  前記利用可能性マップフィールドは、前記利用可能性間隔ビットマップフィールドが存在するかどうかを示す、Ｃ７に記載の方法。
［Ｃ９］  前記開始側／応答側フィールドは、前記第１のデバイスが開始側であるのか応答側であるのかを示す、Ｃ８に記載の方法。
［Ｃ１０］  前記確認／失敗フィールドは、測距プロトコルが進行中であるのか成功したのか失敗したのかを示す、Ｃ８に記載の方法。
［Ｃ１１］  前記測距制御フィールドが、サービスマップ存在フィールドと、最後の移動指示存在フィールドと、開始側測距報告フィールドと、測距結果可能フィールドとをさらに備える、Ｃ７に記載の方法。
［Ｃ１２］  前記サービスマップ存在フィールドは、サービスマップフィールドが存在するかどうかを示す、Ｃ１１に記載の方法。
［Ｃ１３］  前記測距プロトコルを実行することは、前記サービスマップフィールドが存在しないとき、何のサービスもなしに前記測距プロトコルを実行することを備える、Ｃ１２に記載の方法。
［Ｃ１４］  前記最後の移動指示存在フィールドは、最後の移動指示フィールドが存在するかどうかを示す、Ｃ１１に記載の方法。
［Ｃ１５］  前記開始側測距報告フィールドは、測距結果が応答側デバイスによって要求されたのか前記応答側デバイスに送信されることになるのかを示す、Ｃ１１に記載の方法。
［Ｃ１６］  前記測距結果可能フィールドは、前記第１のデバイスが他のデバイスに測距結果を与えることが可能であるかどうかを示す、Ｃ１１に記載の方法。
［Ｃ１７］  前記ＦＴＭパラメータフィールドが、バースト持続時間フィールドと、最小デルタＦＴＭフィールドと、バースト当たりＦＴＭフィールドと、ＦＴＭフォーマットおよび帯域幅フィールドとを備える、Ｃ３に記載の方法。
［Ｃ１８］  前記測距プロトコルがファイン時間測定（ＦＴＭ）プロトコルを備える、Ｃ１に記載の方法。
［Ｃ１９］  前記第１のＳＤＦまたは他のアクションフレームに応答して第２のＳＤＦを受信することをさらに備え、前記第２のＳＤＦまたは他のアクションフレームが、測距情報と、前記第２のＳＤＦまたは他のアクションフレームの前記測距情報に従って測距プロトコルを実行するための前記発見ウィンドウ外の時間期間の指示とを含む、Ｃ１に記載の方法。
［Ｃ２０］  前記第２のＳＤＦまたは他のアクションフレームの前記時間期間が、前記第１のＳＤＦまたは他のアクションフレーム中の前記時間期間とは異なる、Ｃ１９に記載の方法。
［Ｃ２１］  前記第２のＳＤＦまたは他のアクションフレームの前記測距情報が、前記第１のＳＤＦまたは他のアクションフレーム中の前記測距情報とは異なる、Ｃ１９に記載の方法。
［Ｃ２２］  前記第２のＳＤＦまたは他のアクションフレームが、前記第１のＳＤＦまたは他のアクションフレーム中の前記測距情報と前記指示された時間期間との確認をさらに備える、Ｃ１９に記載の方法。
［Ｃ２３］  前記属性が測距セットアップ属性である、Ｃ２に記載の方法。
［Ｃ２４］  発見ウィンドウ中に、第１のデバイスにおいて、第１のサービス発見フレーム（ＳＤＦ）または他のアクションフレームを第２のデバイスから受信することと、前記第１のＳＤＦまたは他のアクションフレームが測距情報を備える、
前記発見ウィンドウ中に、前記第１のデバイスによって、前記第１のＳＤＦまたは他のアクションフレームに応答して第２のＳＤＦまたは他のアクションフレームを前記第１のデバイスに送信することと、前記第２のＳＤＦまたは他のアクションフレームが、測距情報と、前記測距情報に従って測距プロトコルを実行するための前記発見ウィンドウ外の時間期間の指示とを備える、
前記第１のデバイスによって、前記第２のＳＤＦまたは他のアクションフレーム中で指示される前記時間期間中に前記測距プロトコルを実行することとを備える、ネイバーアウェアネットワーク（ＮＡＮ）におけるワイヤレス通信の方法。
［Ｃ２５］  前記第１および第２のＳＤＦまたは他のアクションフレームのうちの少なくとも１つが、前記測距情報を含む属性を備える、Ｃ２４に記載の方法。
［Ｃ２６］  前記属性が、前記測距プロトコルを実行するデバイスの媒体アクセス制御（ＭＡＣ）アドレスを識別するためのＭＡＣアドレスフィールドと、チャネルのおよびマップ制御情報の利用可能性を示すためのマップ制御フィールドと、測距パラメータを示すための測距制御フィールドと、ファイン時間測定（ＦＴＭ）パラメータを示すためのＦＴＭパラメータフィールドと、前記時間期間を示すための利用可能性間隔ビットマップフィールドとを備える、Ｃ２５に記載の方法。
［Ｃ２７］  前記測距制御フィールドが、利用可能性マップフィールドと、開始側フィールドと、確認／失敗フィールドと、予備フィールドとを備える、Ｃ２６に記載の方法。
［Ｃ２８］  前記利用可能性マップフィールドは、前記利用可能性間隔ビットマップフィールドが存在するかどうかを示す、Ｃ２７に記載の方法。
［Ｃ２９］  前記開始側フィールドは、前記第１のデバイスが開始側であるのか応答側であるのかを示す、Ｃ２７に記載の方法。
［Ｃ３０］  前記確認／失敗フィールドは、測距プロトコルが進行中であるのか成功したのか失敗したのかを示す、Ｃ２７に記載の方法。
［Ｃ３１］  前記ＦＴＭパラメータフィールドが、バースト持続時間フィールドと、最小デルタＦＴＭフィールドと、バースト当たりＦＴＭフィールドと、ＦＴＭフォーマットおよび帯域幅フィールドとを備える、Ｃ２６に記載の方法。
［Ｃ３２］  前記測距プロトコルがファイン時間測定（ＦＴＭ）プロトコルを備える、Ｃ２４に記載の方法。
［Ｃ３３］  前記第２のＳＤＦまたは他のアクションフレームに応答して第３のＳＤＦまたは他のアクションフレームを受信することをさらに備え、前記第３のＳＤＦまたは他のアクションフレームが、測距情報と、前記第３のＳＤＦまたは他のアクションフレームの前記測距情報に従って測距プロトコルを実行するための前記発見ウィンドウ外の第２の時間期間の指示とを含む、Ｃ２４に記載の方法。
［Ｃ３４］  前記第３のＳＤＦまたは他のアクションフレームの前記第２の時間期間が、前記第２のＳＤＦまたは他のアクションフレーム中の前記時間期間とは異なる、Ｃ３３に記載の方法。
［Ｃ３５］  前記第３のＳＤＦまたは他のアクションフレームの前記測距情報が、前記第２のＳＤＦまたは他のアクションフレーム中の前記測距情報とは異なる、Ｃ３３に記載の方法。
［Ｃ３６］  前記第３のＳＤＦまたは他のアクションフレームが、前記第２のＳＤＦまたは他のアクションフレーム中の前記測距情報と前記指示された時間期間との確認をさらに備える、Ｃ３３に記載の方法。
［Ｃ３７］  前記属性が測距セットアップ属性である、Ｃ２５に記載の方法。
［Ｃ３８］  発見ウィンドウ中に、第１のサービス発見フレーム（ＳＤＦ）または他のアクションフレームを第２のデバイスに送信するように構成された送信機と、前記第１のＳＤＦまたは他のアクションフレームが、測距プロトコルを実行するための測距情報を備える、
前記測距情報に従って前記測距プロトコルを実行するように構成されたプロセッサとを備える、ワイヤレス通信するように構成された装置。
［Ｃ３９］  発見ウィンドウ中に、第１のサービス発見フレーム（ＳＤＦ）または他のアクションフレームを第２のデバイスから受信するように構成された受信機と、前記第１のＳＤＦまたは他のアクションフレームが測距情報を備える、
前記発見ウィンドウ中に、第２のサービス発見フレーム（ＳＤＦ）または他のアクションフレームを前記第２のデバイスに送信するように構成された送信機と、前記第２のＳＤＦまたは他のアクションフレームが、測距情報と、前記測距情報に従って測距プロトコルを実行するための前記発見ウィンドウ外の時間期間の指示とを備える、
前記第２のＳＤＦまたは他のアクションフレーム中で指示される前記時間期間中に前記測距プロトコルを実行するように構成されたプロセッサとを備える、ワイヤレス通信するように構成された装置。
［Ｃ４０］  発見ウィンドウ中に、第１のデバイスによって、第１のサービス発見フレーム（ＳＤＦ）または他のアクションフレームを第２のデバイスに送信するための手段と、前記第１のＳＤＦまたは他のアクションフレームが、測距プロトコルを実行するための測距情報を備える、
前記第１のデバイスによって、前記測距情報に従って前記測距プロトコルを実行するための手段とを備える、ワイヤレス通信のための装置。
［Ｃ４１］  発見ウィンドウ中に、第１のデバイスにおいて、第１のサービス発見フレーム（ＳＤＦ）または他のアクションフレームを第２のデバイスから受信するための手段と、前記第１のＳＤＦまたは他のアクションフレームが測距情報を備える、
発見ウィンドウ中に、前記第１のデバイスによって、第２のサービス発見フレーム（ＳＤＦ）または他のアクションフレームを前記第２のデバイスに送信するための手段と、前記第２のＳＤＦまたは他のアクションフレームが、測距情報と、前記測距情報に従って測距プロトコルを実行するための前記発見ウィンドウ外の時間期間の指示とを備える、
前記第１のデバイスによって、前記第２のＳＤＦまたは他のアクションフレーム中で指示される前記時間期間中に前記測距プロトコルを実行するための手段とを備える、ワイヤレス通信のための装置。
［Ｃ４２］  実行されたとき、装置に方法を実行させるコードを備える非一時的コンピュータ可読媒体であって、前記方法は、
発見ウィンドウ中に、第１のデバイスによって、第１のサービス発見フレーム（ＳＤＦ）または他のアクションフレームを第２のデバイスに送信することと、前記第１のＳＤＦまたは他のアクションフレームが、測距プロトコルを実行するための測距情報を備える、
前記第１のデバイスによって、前記測距情報に従って前記測距プロトコルを実行することとを備える、非一時的コンピュータ可読媒体。
［Ｃ４３］  実行されたとき、装置に方法を実行させるコードを備える非一時的コンピュータ可読媒体であって、前記方法は、
発見ウィンドウ中に、第１のデバイスにおいて、第１のサービス発見フレーム（ＳＤＦ）または他のアクションフレームを第２のデバイスから受信することと、前記第１のＳＤＦまたは他のアクションフレームが測距情報を備える、
前記発見ウィンドウ中に、前記第１のデバイスによって、第２のサービス発見フレーム（ＳＤＦ）または他のアクションフレームを前記第２のデバイスに送信することと、前記第２のＳＤＦまたは他のアクションフレームが、測距情報と、前記測距情報に従って測距プロトコルを実行するための前記発見ウィンドウ外の時間期間の指示とを備える、
前記第１のデバイスによって、前記第２のＳＤＦまたは他のアクションフレーム中で指示される前記時間期間中に前記測距プロトコルを実行することとを備える、非一時的コンピュータ可読媒体。